(57)【要約】      （修正有）【課題】コストが少なく、簡単にアイスパック等の補助物品を収容可能な物品保持部を形成可能な包装用箱の提供である。【解決手段】包装用箱１１は、底板２１に対して起立する一対の第一側板２２・２２と、第一側板２２・２２に隣接するとともに底板２１に対して起立する一対の第二側板２３・２３と、第一側板２２・２２の一方に連設されるとともに第二側板２３・２３の内側に配置され底板２１に対して起立する一対の補助側板とを備え、少なくとも上部に開口部が形成され、第二側板２３・２３の第一側板２２の他方側の端縁にそれぞれ連設されるフラップ２４・２５の少なくともいずれか一方が物品保持部Ｂ１を形成する。【選択図】図１
0003228235.tif 000002
【実用新案登録請求の範囲】
【請求項１】
底板と、当該底板に対して起立する一対の第一側板と、当該第一側板に隣接するとともに前記底板に対して起立する一対の第二側板と、前記第一側板の一方に連設されるとともに前記第二側板の内側に配置され前記底板に対して起立する一対の補助側板とを備え、少なくとも上部に開口部が形成される包装用箱であって、前記一対の第二側板には、前記第一側板の他方側の端縁にそれぞれ連設されるフラップを備え、当該フラップの少なくともいずれか一方は、物品保持部を形成することを特徴とする包装用箱。
【請求項２】
前記フラップに係止部を備え、前記補助側板に前記係止部が係合及び離脱する係合部を備え、前記係止部と前記係合部とが係合することで、前記フラップと、少なくとも補助側板及び第二側板と、で成す空間である前記物品保持部を形成することを特徴とする、請求項１に記載の包装用箱。
【請求項３】
前記第二側板は、前記底板の角から略４５度で前記フラップを連設する方向へ延びる折畳用折目線を備え、前記補助側板は、前記第二側板と貼着される固着領域と、前記第二側板と貼着されず隙間を有する非固着領域とを有し、当該非固着領域であって前記折畳用折目線近傍に前記係合部を備え、前記係合部は、切り込み又は／及び穿孔により形成されること特徴とする請求項２に記載の包装用箱。
【請求項４】
前記フラップの少なくともいずれか一方は、切り込み部又は／及び孔部を有し、当該切り込み部又は／及び当該孔部で前記物品保持部を形成することを特徴とする、請求項１に記載の包装用箱。
【請求項５】
前記切り込み部又は／及び前記孔部を始端部とする開口補助用折目線を備えることを特徴とする、請求項４に記載の包装用箱。
【請求項６】
前記フラップのいずれか一方に係止部を備え、他方に前記係止部が係合及び離脱する係合部を備え、前記係止部と前記係合部とが係合することで、前記フラップ同士が係合することを特徴とする、請求項１から請求項５のいずれか一項に記載の包装用箱。
【考案の詳細な説明】
【技術分野】
【０００１】  本考案は、包装用箱の構造に関し、より詳細には、保冷体、キャンドル、ナフキンなどの補助物品を収容する物品保持部の構造に関する。
【背景技術】
【０００２】  従来、ケーキ等の物品を収容する包装用箱にあっては、ケーキ等を低温に保つために、アイスパック（水や保冷剤をビニールシート等で密封包装したパック状のものを凍らせたもの）やドライアイス等の保冷体をケーキ等と一緒に包装用箱に収容することが行われている。また、保冷体の他にキャンドル、ナフキン、ケーキカッター等を包装用箱に収容する場合もある。【０００３】  例えば、特許文献１に示す包装用箱では、アイスパック等を収容する保冷体等収容部を外箱とは別に用意して配置している。
【先行技術文献】
【特許文献】
【特許文献１】実用新案登録第３１４７６８６号公報
【０００４】  しかしながら、特許文献１の包装用箱では、外箱とは別体の保冷体等収容部を設けているため、コストが高額となり、また、保冷体等収容部を組み立てて、外箱に固定する手間が煩雑である。
【考案の概要】
【考案が解決しようとする課題】
【０００５】  本考案は、上記問題を解決すべくなされたものである。本考案の目的は、コストが少なく、簡単にアイスパック等の補助物品を収容可能な物品保持部を形成可能な包装用箱の提供である。
【課題を解決するための手段】
【０００６】  本考案の解決しようとする課題は以上の如くであり、次にこの課題を解決するための手段を説明する。【０００７】  第１の考案では、底板と、当該底板に対して起立する一対の第一側板と、当該第一側板に隣接するとともに前記底板に対して起立する一対の第二側板と、前記第一側板の一方に連設されるとともに前記第二側板の内側に配置され前記底板に対して起立する一対の補助側板とを備え、少なくとも上部に開口部が形成される包装用箱であって、前記一対の第二側板には、前記第一側板の他方側の端縁にそれぞれ連設されるフラップを備え、当該フラップの少なくともいずれか一方は、物品保持部を形成することを特徴とする包装用箱である。【０００８】  第２の考案では、第１の考案であって、前記フラップに係止部を備え、前記補助側板に前記係止部が係合及び離脱する係合部を備え、前記係止部と前記係合部とが係合することで、前記フラップと、少なくとも補助側板及び第二側板と、で成す空間である前記物品保持部を形成することを特徴とする包装用箱である。【０００９】  第３の考案では、第２の考案であって、前記第二側板は、前記底板の角から略４５度で前記フラップを連設する方向へ延びる折畳用折目線を備え、前記補助側板は、前記第二側板と貼着される固着領域と、前記第二側板と貼着されず隙間を有する非固着領域とを有し、当該非固着領域であって前記折畳用折目線近傍に前記係合部を備え、前記係合部は、切り込み又は／及び穿孔により形成されること特徴とする包装用箱である。【００１０】  第４の考案では、第１の考案であって、前記フラップの少なくともいずれか一方は、切り込み部又は／及び孔部を有し、当該切り込み部又は／及び当該孔部で前記物品保持部を形成することを特徴とする包装用箱である。【００１１】  第５の考案では、第４の考案であって、切り込み部又は／及び孔部を始端部とする開口補助用折目線を備えることを特徴とする包装用箱である。【００１２】  第６の考案では、第１から第５のいずれかの考案であって、前記フラップのいずれか一方に係止部を備え、他方に前記係止部が係合及び離脱する係合部を備え、前記係止部と前記係合部とが係合することで、前記フラップ同士が係合することを特徴とする包装用箱である。
【考案の効果】
【００１３】  本考案の効果として、以下に示すような効果を奏する。【００１４】  第１の考案では、包装箱に備えるフラップが物品保持部を形成するので、別体の物品保持部を設ける必要がなく、コストが少なく、簡単にアイスパック等の補助物品を収容可能な物品保持部を形成できる。【００１５】  第２の考案では、包装箱に備えるフラップと、補助側板及び第二側板とで成す空間である物品保持部を形成しているので、コストが少なく、簡単な作業でアイスパック等の補助物品を収容可能な物品保持部を形成できる。【００１６】  第３の考案では、補助側板が、第二側板との非固着領域であって折畳用折目線近傍に係合部を備えているため、係合部では第二側板と補助側板との隙間が大きくなっており、係止部を簡単に差し込むことができる。【００１７】  第４の考案では、包装箱に備えるフラップに切り込み部又は／及び孔部によって物品保持部を形成しているので、コストが少なく、簡単な作業でアイスパック等の補助物品を収容可能な物品保持部を形成できる。【００１８】  第５の考案では、開口補助用折目線を折り曲げて切り込み部又は孔部を簡単に押し広げることができる。【００１９】  第６の考案では、フラップの係止部と係合部が係合することでフラップ同士が係合するため、フラップの揺動が規制され、包装箱に収容される補助物品とフラップとの接触を防止することができる。
【図面の簡単な説明】
【００２０】
【図１】本考案の第一実施形態に係る物品保持部Ｂ１が形成された包装用箱１１の状態を示す斜視簡略図。
【図２】展開形成体の包装用箱１１の平面図。
【図３】半完成状態に折り畳む途中の包装用箱１１の平面図。
【図４】半完成状態の包装用箱１１を示す平面図。
【図５】底板２１に対して後側の第一側板２２、第二側板２３・２３、補助側板２６・２７が起立した状態を示す斜視簡略図。
【図６】完成状態の包装用箱１１を示す斜視簡略図。
【図７】本考案の第二実施形態に係る展開形成体の包装用箱１１１の平面図。
【図８】本考案の第二実施形態に係る物品保持部Ｂ２が形成された包装用箱１１１の状態を示す斜視簡略図。
【考案を実施するための形態】
【００２１】  次に、本考案の実施の形態について説明する。
【００２２】  ［第一実施形態］
本考案の第一実施形態に係る包装用箱１１について説明する。
【００２３】  本実施形態に係る包装用箱１１は、図１に示すように、包装用箱１１の内部に保冷体等の補助物品を保持して収容するための物品保持部が形成できる紙箱である。包装用箱１１は、図２に示す展開形成体を組み立てて形成される。包装用箱１１は、板紙、段ボール等の厚紙で形成されて、菓子等の物品を収容する。包装用箱１１は、厚紙の他、樹脂素材を用いた板状部材等で形成されてもよい。
【００２４】  以下では、説明を容易におこなうため、図１での図示右下側を前方とし、左上側を後方とする。また、上下方向は、包装用箱１１を組み立てて、底板２１を下にして載置した状態で、底板２１側を下方とする。また、展開形成体の包装用箱１１の左右対称に現れる箇所は、右側を主として説明をする。尚、第一実施形態の包装用箱１１の平面形状は長方形であるが、正方形等の他の形状に変更してもよい。
【００２５】  図２に示す展開形成体の包装用箱１１に従って、包装用箱１１の箱本体１２を構成する部分を説明する。図２は、包装用箱１１の内側となる面を紙面手前側として示している
【００２６】  底板２１は、包装用箱１１の底部を構成する部分であり、長方形に形成される。底板２１の前後端縁（図示上下端縁）には、箱本体１２の前後の側板を構成する一対の第一側板２２・２２が、折目線４１・４１を介してそれぞれ連設される。底板２１の左右端縁には、箱本体１２の左右の側板を構成する一対の第二側板２３・２３が、折目線４２・４２を介してそれぞれ連設される。
【００２７】  さらに、後側の第一側板２２の左端縁には、補助側板２６が折目線４４を介して連設される。後側の第一側板２２の右端縁には、補助側板２７が折目線４４を介して連設される。補助側板２６・２７の下端縁となる端縁には、前側となる側に係止片２６ａ・２７ａが下方に突出するように形成される。一方、折目線４２上には、包装用箱１１が組み立てられた際に、係止片２６ａ・２７ａを差し込むための切れ目である起立係止孔４２ａ・４２ａが形成される。
【００２８】  第二側板２３・２３には、底板２１の後角（図示上側角）から略４５度で後述するフラップ２４・２５を連設する方向へ延びる折畳用折目線４５が形成される。
【００２９】  補助側板２７には、後述する係止部２５ａと係合する係合部２８が形成される。係合部２８は略三日月形状の孔部であって、包装用箱１１が組み立てられた場合に、第二側板２３の折畳用折目線４５に重なる位置に形成される。具体的には、係合部２８は折畳用折目線４５を基準として分けられた上側領域から下側領域にかけて形成され、全体的には下側領域寄りに形成される。
【００３０】  左側の第二側板２３の前端縁（図示下端縁）には、折目線４３ａを介してフラップ２４が連設される。右側の第二側板２３の前端縁（図示下端縁）には、折目線４３ｂを介してフラップ２５が連設される。
【００３１】  第一実施形態のフラップ２５には、折目線４３ｂに平行する折目線４３ｃが形成される。また、折目線４３ｃと対向する側の自由端側（図示下端縁）に係止部２５ａが縁部を切り欠いて形成される。
折目線４３ｂと折目線４３ｃとに囲まれた領域は、縁板部２５ｂが形成される。折目線４３ｃから自由端までの領域は、仕切部２５ｃが形成される。仕切部２５ｃには通気孔２５ｄを穿っている。
【００３２】  次に、包装用箱１１の天部を構成する部分を説明する。
【００３３】  天部は、箱本体１２の上部の開口部を閉塞するとともに、包装用箱１１の持ち運びを容易にするための部分である。
【００３４】  蓋板３１・３１は、第一側板２２・２２の上端縁となる端縁に、蓋板折目線５１・５１を介してそれぞれ連設される。蓋板３１・３１の蓋板折目線５１・５１に対向する端縁には、把手板６１・６１が、把手板折目線５２・５２を介して連設される。
【００３５】  把手板折目線５２・５２は、左右途中で分断されており、分断された箇所には蓋板３１・３１から蓋板片３１ａ・３１ａが延設される。蓋板片３１ａ・３１ａは、把手板折目線５２・５２よりも前記把手板６１・６１側に突出するように切り込んだ切れ目により形成される。従って、把手板折目線５２・５２及び蓋板片３１ａ・３１ａを介して、把手板６１・６１は、その上側が把持部となるように形成される。
【００３６】  さらに、把手板６１・６１の両端部には、外側へと突出する係合片６２・６２が配置される。係合片６２・６２は、把手板６１・６１の中央に対して左右対称に配置され、把手板６１・６１は前後一対（図示上下一対）となって形成される。
【００３７】  一方、保持板７１・７１は、補助板２６・２７の上端縁となる端縁に、折目線５３・５３を介して連設される左右一対の部分である。保持板７１・７１には、係合部７２・７２が形成される。係合部７２・７２は、折目線５３・５３から上下中途部にＩ字形状に切り込みとその上部に略Ｕ字形状に切り込んだ舌片及び、Ｕ字形状の始端と末端を結ぶ折目線で形成している。
【００３８】  次に、包装用箱１１を展開形成体から半完成状態まで組み立てる場合について説明する。
【００３９】  図２に示す展開形成体の状態から、折目線４４・４４を谷折することで、補助側板２６・２７は、後側の第一側板２２に重なるように折畳まれる。そして、左側の折目線４２を谷折することで、左側の第二側板２３は底板２１に重なるように折畳まれる。そして、折畳用折目線４５を山折りすることで、左側の第二側板２３の外側同士が重なるように折畳まれる。同様に右側の第二側板２３も、折目線４２を谷折することで、底板２１に重なるように折畳まれる。さらに、折畳用折目線４５を山折りすることで、右側の第二側板２３の外面同士が重なるように折畳まれ、図３に示す状態となる。
【００４０】  続いて、折目線４１を谷折することで、後側の第一側板２２は底板２１側に折畳まれる。従って、後側の第一側板２２へと折畳まれた補助側板２６・２７は、底板２１へと折畳まれた第二側板２３の内面に重なるように配置される。補助板２６・２７は第二側板２３・２３と固着領域４７・４８で貼着固定される。固着領域４７は、補助側板２６の後側（図示左側）であって、第二側板２３の折畳用折目線４５とは重ならない領域である。また、固着領域４８は、補助側板２７の後側（図示右側）であって、第二側板２３の折畳用折目線４５とは重ならない領域である。補助側板２７の固着領域４８以外の領域は、第二側板２３と固着されない非固着領域４９である。そして、係合部２８は非固着領域４９であって、折畳用折目線４５の近傍に形成される。
このようにして、包装用箱１１は、図４に示す半完成状態とされる。
【００４１】  次に、折畳まれた半完成状態の包装用箱１１を完成体まで組み立てる手順について説明する。
【００４２】  先ず、底板２１に対して後側の第一側板２２、補助側板２６・２７及び第二側板２３・２３を起立させる。具体的には、底板２１を上方に向けた状態から、後側の第一側板２２を持ち上げて、底板２１に対して起立させることで、後側の第一側板２２と連設する補助側板２６・２７が底板２１に対して起立する。
【００４３】  補助側板２６・２７が底板２１に対して起立することにより、補助側板２６・２７と固定された第二側板２３・２３は、折畳まれた状態から図５に示す略同一平面となるように展開される。さらに、補助側板２６・２７の下端から突出する係止片２６ａ・２７ａが、起立係止孔４２ａ・４２ａに挿入されることで、後側の第一側板２２が底板２１側に倒伏することを阻止することができる。これら、補助側板２６・２７と第二側板２３・２３の固定、及び係止片２５ａ・２６ａの起立係止孔４２ａ・４２ａへの挿入によって、底板２１に対する三側板（後側の第一側板２２、補助側板２６・２７、及び第二側板２３・２３）の起立は保持される。
この状態において、第二側板２３・２３は、折畳まれた状態から略同一平面となるように展開されるが、折畳用折目線４５を折目として折り畳まれた状態に戻ろうとする力が働いている。そのため、補助側板２７は折畳用折目線４５付近が箱本体１２の内部側に押され、第二側板２３と補助側板２７の折畳用折目線４５付近との間は、比較的大きな隙間Ｓが生じやすくなっている。
【００４４】  次に、保冷体９０等の補助物品を収容するための物品保持部Ｂ１の組み立てについて説明する。
【００４５】  図５に示す状態から図１に示す状態となるように、折目線４３ｂを谷折りし、さらに折目線４３ｃを谷折りして、縁板部２５ｂを介して仕切部２５ｃが補助側板２７及び第二側板２３と対向するように配置させる。そして、係合部２８へ係止部２５ａを挿入すると、フラップ２５は補助側板２７に連設され、フラップ２５と、補助側板２７及び第二側板２３とで成す空間には、物品保持部Ｂ１が形成される。係合部２８は、非固着領域４９であって、折畳用折目線４５近傍に形成しており、上述のように第二側板２３と補助側板２７の折畳用折目線４５付近との間には隙間Ｓが生じているため、係止部２５ａを挿入しやすくなっている。
【００４６】    この物品保持部Ｂ１へと、保冷体９０やキャンドル等の補助物品を収容する。また、仕切部２５ｃに形成された通気孔２５ｄは、補助物品が保冷体９０の場合、仕切部２５ｃからケーキなどが収容される箱本体１２側へと冷気を連通させやすくするためのものである。
【００４７】  物品保持部Ｂ１に保冷体９０などの物品を収容したあとで、この包装用箱１１の前部及び上部の開放部から、ケーキ等の物品を箱本体１２内に収容する（図示省略）。さらに、図１に示すように、折目線４３ａを谷折りしてフラップ２４を箱本体１２の内側へ直角に折り曲げる。そして、折目線４１を谷折りすることで、前側の第一側板２２は、底板２１に対して起立する。
【００４８】  次に、天部を組み立てる場合について説明する。
【００４９】  先ず、蓋板折目線５１・５１を谷折して、さらに把手板折目線５２・５２を山折りして、前後の把手板６１・６１の内面が互いに接触するように重ね合せる。その際、前後どちらか一方の蓋板片３１ａの内面は、前後どちらか他方の蓋板３１の外面と接触するように重ね合わされる。前後どちらか他方の蓋板片３１ａの外面は、前後どちらか一方の蓋板３１の内面と接触するように重ね合わされる。蓋板片３１ａ・３１ａを把手板６１・６１から分離することで、その分離空間に持手部分が形成される。
【００５０】    続いて、折目線５３を谷折りし、保持板７１が把手板６１側へと折り曲げられ、保持板７１に形成された係合部７２へと係合片６２が挿入され、保持板７１によって、把手板６１・６１は、重ね合された状態を保持することができ、蓋板３１・３１に対して起立した状態を安定的に保持することができる。
このようにして、図６に示す組み立て完成状態となる。
【００５１】  このように、本実施形態の包装用箱１１は、底板２１と、底板２１に対して起立する一対の第一側板２２・２２と、第一側板２２・２２に隣接するとともに底板２１に対して起立する一対の第二側板２３・２３と、後側の第一側板２２に連設されるとともに第二側板２３・２３の内側に配置され底板２１に対して起立する一対の補助側板２６・２７とを備え、少なくとも上部に開口部が形成される包装用箱１１であって、一対の第二側板２３・２３には、前側の第一側板２２側の端縁にそれぞれ連設されるフラップ２４・２５を備え、フラップ２５は、物品保持部Ｂ１を形成する。
【００５２】  このため、別体の物品保持部を設ける必要がなく、コストが少なく、簡単にアイスパック等の補助物品を収容可能な物品保持部を形成できる。
【００５３】  また、本実施形態の包装用箱１１は、フラップ２５に係止部２５ａを備え、補助側板２７に係止部２５ａが係合及び離脱する係合部２８を備え、係止部２５ａと係合部２８とが係合することで、フラップ２５と、少なくとも補助側板２７及び第二側板２３と、で成す空間である物品保持部Ｂ１を形成する。
【００５４】  このため、コストが少なく、簡単な作業でアイスパック等の補助物品を収容可能な物品保持部Ｂ１を形成できる。
【００５５】  また、第二側板２３・２３は、底板２１の後角から略４５度でフラップ２４・２５を連設する方向へ延びる折畳用折目線４５・４５を備え、補助側板２７は、第二側板２３と貼着される固着領域４８と、第二側板２３と貼着されず隙間を有する非固着領域４９とを有し、非固着領域４９であって折畳用折目線４５近傍に係合部２８を備え、係合部２８は、穿孔により形成される。
【００５６】  このため、係合部２８は第二側板２３と補助側板２７の隙間の大きい領域Ｓに形成され、係止部２５ａを容易に差し込むことができる。
【００５７】  尚、第一実施形態の包装用箱１１の物品保持部Ｂ１は、包装用箱１１の右側にのみ形成することができる構成としているが、限定するものではなく、包装用箱１１の左右に形成してもよい。
【００５８】  ［第二実施形態］
本考案の第二実施形態に係る包装用箱１１１について説明する。
【００５９】  第二実施形態に係る包装用箱１１１は、フラップ１２５に切り込み部１２５ａ、１２５ｂを有し、この切り込み部１２５ａ、１２５ｂが物品保持部Ｂ２を形成する。第一実施形態の包装用箱１１と共通する部分に関しては、以下、同じ符号を付して簡略に説明し又は省略する。
【００６０】  図７に示す展開形成体の包装用箱１１１に従って、箱本体１１２を構成する部分を説明する。図７は、包装用箱１１１の内側となる面を紙面手前側として示している。
【００６１】  底板２１は、包装用箱１１１の底部を構成し、前後端縁（図示上下端縁）には、箱本体１１２の前後の側板を構成する一対の第一側板２２・２２がそれぞれに連設される。底板２１の左右端縁には、箱本体１１２の左右の側板を構成する一対の第二側板２３・２３がそれぞれに連設される。さらに、後側の第一側板２２の左右端縁には補助側板２６・２７がそれぞれに連設される。第二側板２３・２３には、折畳用折目線４５・４５がそれぞれに形成される。これらの構成は、第一実施形態にかかる包装用箱１１と共通する。
【００６２】  左側の第二側板２３の前端縁（図示下端縁）には、折目線４３ａを介してフラップ１２４が連設される。右側の第二側板２３の前端縁（図示下端縁）には、折目線４３ｂを介してフラップ１２５が連設される。
【００６３】  第二実施形態のフラップ１２５は、折目線４３ｂに直交する方向（図示上下方向）に直線状に延びる切り込みと、この切り込みの両端部（図示上下端）に連なる曲線形状の切り込みとからなる切り込み部１２５ａ・１２５ｂを備えている。
また、切り込み部１２５ａ・１２５ｂの端部付近同士を繋ぐ開口補助用折目線１２５ｃ・１２５ｄを、折目線４３ｂに平行して備えている。
また、切り込み部１２５ａの中央付近からフラップ１２５の下端縁（図示左端縁）に至る開口補助用折目線１２５ｅと、切り込み部１２５ｂの中央付近からフラップ１２５の上端縁（図示右端縁）に至る開口補助用折目線１２５ｆを折目線４３ｂに平行して備えている。
第二実施形態のフラップ１２５の、折目線４３ｂに対向する自由端縁は、後述する係合部１２４ａに挿入する係止部１２５ｇを構成する。
【００６４】  第二実施形態のフラップ１２４は、折目線４３ａに対向する自由端側（図示下方向）に膨らむ湾曲形状の切り込みによる係止部１２４ａを備えている。係合部１２４ａは、係止部１２５ｇが係合・離脱する部分である。
【００６５】  包装用箱１１１の天部を構成する部分については、第一実施形態にかかる包装用箱１１の構成と共通するため、説明を省略する。
【００６６】  また、包装用箱１１１を展開形成体から半完成状態まで組み立てる場合及び、折畳まれた半完成状態の包装用箱１１１を、底板２１に対して後側の第一側板２２、第二側板２３・２３、補助側板２６・２７が起立した状態とするまでの手順についても、第一実施形態にかかる包装用箱１１と共通するため、説明を省略する。
【００６７】  保冷体９０等の物品を収容するための物品保持部Ｂ２について説明する。
【００６８】  まず、底板２１に対して後側の第一側板２２、第二側板２３・２３、補助側板２６・２７が起立した状態で、前部及び上部の開放部からケーキ等の物品を箱本体１１２内に収容する（図示省略）。折目線４３ｂを谷折りし、第二側板２３に対して略直角にフラップ１２５を折り曲げる。そして、図８に示すように、開口補助用折目線１２５ｃ・１２５ｄを谷折りし、開口補助用折目線１２５ｅ・１２５ｆを山折りすることで、切り込み部１２５ａ・１２５ｂを前後方向に押し開いて物品保持部Ｂ２を形成し、保冷体９０やキャンドル等の補助物品を挟み込んで収容する。
【００６９】  さらに、折目線４３ａを谷折りし第二側板２３に対して略直角にフラップ１２４に折り曲げる。そして、フラップ１２５に備える係止部１２５ｇを、係合部１２４ａに差し込み係合して、フラップ１２４とフラップ１２５を係合固定する。
【００７０】  そして、第一実施形態の包装用箱１１と同様の手順によって天部を組み立てれば、保持板７１によって、把手板６１・６１は、重ね合された状態を保持することができ、蓋板３１・３１に対して起立した状態を安定的に保持することができる。
【００７１】  本実施形態の包装用箱１１１は、底板２１と、底板２１に対して起立する一対の第一側板２２・２２と、第一側板２２・２２に隣接するとともに底板２１に対して起立する一対の第二側板２３・２３と、後側の第一側板２２に連設されるとともに第二側板２３・２３の内側に配置され底板２１に対して起立する一対の補助側板２６・２７とを備え、少なくとも上部に開口部が形成される包装用箱１１１であって、一対の第二側板２３・２３には、前側の第一側板２２側の端縁にそれぞれ連設されるフラップ１２４・１２５を備え、フラップ１２５は、物品保持部Ｂ２を形成する。
【００７２】  このため、別体の物品保持部を設ける必要がなく、コストが少なく、簡単にアイスパック等の補助物品を収容可能な物品保持部を形成できる。
【００７３】  また、本実施形態の包装用箱１１１のフラップ１２５は、切り込み部１２５ａ・１２５ｂを有し、切り込み部１２５ａ・１２５ｂで物品保持部Ｂ２を形成する。
【００７４】  このように、包装箱１１１に備えるフラップ１２５の切り込み部１２５ａ・１２５ｂによって物品保持部Ｂ２を形成しているので、コストが少なく、簡単な作業でアイスパック等の補助物品を収容可能な物品保持部Ｂ２を形成できる。
【００７５】  また、本実施形態の包装用箱１１１は、切り込み部１２５ａ・１２５ｂを始端部とする開口補助用折目線１２５ｃ・１２５ｄ・１２５ｅ・１２５ｆを備える。
【００７６】  このため、開口補助用折目線１２５ｃ・１２５ｄ・１２５ｅ・１２５ｆを折り曲げて切り込み部を押し広げ、簡単に物品を保持することができる。
【００７７】  また、本実施形態の包装用箱１１１は、フラップ１２５に係止部１２５ｇを備え、フラップ１２４に係止部１２５ｇが係合及び離脱する係合部１２４ａを備え、係止部１２５ｇと係合部１２４ａとが係合することで、フラップ１２４・１２５が係合する。
【００７８】  このように、フラップ１２５の係止部１２５ｇとフラップ１２４の係合部１２４ａが係合することでフラップ１２４・１２５が係合するため、フラップ１２４・１２５の揺動が規制され、包装箱１１１に収容されるケーキ等の物品とフラップ１２４．１２５との接触を防止することができる。
【００７９】  尚、第二実施形態の包装用箱１１１の物品保持部Ｂ２は、包装用箱１１１の右側にのみ形成する構成としているが、限定するものではなく、包装用箱１１１の左右に形成してもよい。
【００８０】  また、第二実施形態の包装用箱１１１の物品保持部Ｂ２は、切り込み部によって形成されているが、孔部や、切り込み部と孔部とを組み合わせて形成することもできる。
【００８１】  また、開口補助用折目線の配置や形状は、第二実施形態の包装用箱１１１に設けた形態に限定されるものではなく、切り込み部や孔部を始端部として、物品保持部を開口しやすくするものであればよい。
【００８２】  本考案の技術的範囲は、第一実施形態・第二実施形態に限定されるものではなく、本明細書及び図面に記載した事項から明らかになる考案が真に意図する技術的思想の範囲全体に、広く及ぶものである。
【符号の説明】
【００８３】１１    包装用箱
１２    箱本体
２１    底板
２２    第一側板
２３    第二側板
２４    フラップ
２５    フラップ
２５ａ  係止部
２５ｂ  縁板部
２５ｃ  仕切部
２５ｄ  通気孔
２６    補助側板
２６ａ  係止片
２７    補助側板
２７ａ  係止片
２８    係合部
３１    蓋板
３１ａ  蓋板片
４１    折目線
４２    折目線
４２ａ  起立係止孔
４３ａ  折目線
４３ｂ  折目線
４４    折目線
４５    折畳用折目線
４７    固着領域
４８    固着領域
４９    非固着領域
５１    蓋板折目線
５２    把手板折目線
５３    折目線
６１    把手板
６２    係合片
７１    保持板
７２    係合部
１１１  包装用箱
１１２  箱本体
１２４  フラップ
１２４ａ  係合部
１２５  フラップ
１２５ａ  切り込み
１２５ｂ  切り込み
１２５ｃ  開口補助用折目線
１２５ｄ  開口補助用折目線
１２５ｅ  開口補助用折目線
１２５ｆ  開口補助用折目線
１２５ｇ  係止部
Ｂ１  物品保持部
Ｂ２  物品保持部
【図１】
0003228235.tif 000003
【図２】
0003228235.tif 000004
【図３】
0003228235.tif 000005
【図４】
0003228235.tif 000006
【図５】
0003228235.tif 000007
【図６】
0003228235.tif 000008
【図７】
0003228235.tif 000009
【図８】
0003228235.tif 000010